(57)【要約】【課題】  読取載置台に開閉自在に枢支された原稿押えカバー内に自動原稿搬送機構が装備された画像読取装置において、該自動原稿搬送機構を構成するペーパガイドの剛性を高めることを目的とする。【解決手段】  ＡＤＦ１が装備されたコピー・ファクシミリ複合機１００において、搬送路３の内側ガイド面を構成するペーパガイド３０が、内側ガイド面を構成するペーパガイド本体３１と、該ペーパガイド本体３１の両側であって内側ガイド面と略直交する方向に設けられたサイドフレーム３２とが、合成樹脂により一体成形されたものである。【選択図】  図３
2005126187.tif 000002
【特許請求の範囲】
【請求項１】
読取ユニットが内蔵された読取載置台に、原稿押えカバーが開閉自在に枢支され、該原稿押えカバーに、原稿トレイ上の原稿を横向きＵ字状の搬送路の入口付近に配設された給紙ローラにより搬送路へ送り込み、搬送路に配設された搬送ローラにより読取位置へ搬送し、搬送路の出口近傍に配設された排紙ローラにより排紙トレイへ排出する自動原稿搬送機構が装備された画像読取装置において、
前記搬送路の内側ガイド面を構成するペーパガイドが、内側ガイド面を構成するペーパガイド本体と、該ペーパガイド本体の両側であって内側ガイド面と略直交する方向に設けられたサイドフレームとが、合成樹脂により一体成形されたものであることを特徴とする画像読取装置。
【請求項２】
前記ペーパガイド本体は、Ｕ字状の搬送路の内側ガイド面のうち折り返し部分より上流側の上部ガイド面を構成するものであり、該ペーパガイド本体に、内側ガイド面のうち折り返し部分より下流側の下部ガイド面を構成するガイドカバーが嵌着されたものであることを特徴とする請求項１記載の画像読取装置。
【請求項３】
前記ペーパガイド本体の上部ガイド面に、原稿幅方向に渡って該上部ガイド面と連続し且つ略直交する壁を有する凹陥部が形成されたことを特徴とする請求項１又は２記載の画像読取装置。
【発明の詳細な説明】
【技術分野】
【０００１】
本発明は、スキャナ、ファクシミリ、複写機等において、読取ユニットが内蔵された読取載置台に、原稿押えカバーが開閉自在に枢支され、該原稿押えカバーに自動原稿搬送機構が装備された画像読取装置に関する。
【背景技術】
【０００２】
スキャナ、ファクシミリ、複写機等においては、複数枚の原稿を順次給紙するオート・ドキュメント・フィーダー（以下「ＡＤＦ」という。）等による自動原稿搬送機構が装備されているものがあり、該自動原稿搬送機構によれば、原稿トレイ上に載置された複数枚の原稿を連続的且つ自動的に読取位置へ搬送して画像読取りができる（例えば特許文献１、特許文献２等）。
【０００３】
図１３は、ＡＤＦを装備する従来のコピー・ファクシミリ複合機９００の上部の外観を示す概略斜視図であるが、図に示すように、コピー・ファクシミリ複合機９００は、読み取るべき原稿を載置するプラテンガラス９０１が配設された読取載置台９０２と、該原稿をプラテンガラス９０１上に押圧して固定する原稿押えカバー９０３と、原稿の読取り開始等を入力するための操作パネル９０４とを具備してなり、図には示していないが、コピー・ファクシミリ複合機９００の本体には、記録用紙に画像を記録する画像記録部や画像を電送するための送信部、読み取った画像を記録するための記録用紙を供給する給紙カセット等が備えられている。
【０００４】
図１４は、前記コピー・ファクシミリ複合機９００の原稿押えカバー９０３の断面構造を示したものであるが、図に示すように、原稿トレイ９０５から画像読取面を経て排紙トレイ９０６へ通ずる搬送路は、横向きＵ字状の外側ガイド面と内側ガイド面とから構成されており、該外側ガイド面は、例えば、原稿押えカバー９０３のハウジングにより形成され、該内側ガイド面は、原稿押えカバー９０３内に配置されたペーパガイド９０７により形成されている。該ペーパガイド９０７には、搬送ローラ９０８が適宜配設されており、各搬送ローラ９０８によって原稿をニップして搬送するようになっている。前記原稿トレイ９０５から搬送路へ繰り込まれた原稿は、その搬送過程において読取位置Ｐ１を通過する際に、読取載置台９０２内に設けられたＣＣＤ等の読取ユニット９０９により原稿の一方の面の画像読取りが行われ、更にその下流の読取位置Ｐ２において、原稿押えカバー９０３に配設されたＣＩＳ等の読取ユニット９１０によって原稿の他方の面の画像読取りができるようになっている。
【０００５】
【特許文献１】特開平１−１９４６５８号公報
【特許文献２】特願２００２−１２００７４号
【発明の開示】
【発明が解決しようとする課題】
【０００６】
前記コピー・ファクシミリ複合機１００により本などの分厚い原稿の画像読取りを行う場合には、読取載置台９０２のプラテンガラス９０１上に所望の本のページを開き、前記読取ユニット９０９を該プラテンガラス９０１に対して走査して画像読取りを行うが、原稿押えカバー９０３のハウジングは、一般に合成樹脂による成形品であるので、本をプラテンガラス９０１に押しつけるために原稿押えカバー９０３を押え込むと該原稿押えカバー９０３が奥行方向に撓むように変形することがある。前記ペーパガイド９０７は、内側ガイド面を構成する部材や搬送ローラ９０８を支持するフレーム等の複数の部材が、ネジ止めにより組み付けられて一体とされているが、前述した原稿押えカバー９０３の変形に伴い、該原稿押えカバー９０３内に配設されたペーパガイド９０７も同様に変形し、これが繰り返されることにより、ペーパガイド９０７を構成する各部材が変形したり、組付け部分に過剰な負荷が加わって最悪の場合には破損することがある。
【０００７】
また、原稿押えカバー９０３は、図１３に示すように、ヒンジ部材９１１により読取載置台９０２のハウジングと連結されることにより、読取載置台９０２に対して開閉自在に固定しているが、該原稿押えカバー９０３の開閉を勢いよく行うと、原稿押えカバー９０３が読取載置台９０２と衝突する際の衝撃や回動限界に至った際の衝撃がペーパガイド９０７に伝達されて、変形や破損が生ずることもある。
【０００８】
本発明は、かかる課題を解決すべくなされたものであり、読取載置台に開閉自在に枢支された原稿押えカバー内に自動原稿搬送機構が装備された画像読取装置において、該自動原稿搬送機構を構成するペーパガイドの剛性を高めることを目的とする。
【課題を解決するための手段】
【０００９】
本発明は、読取ユニットが内蔵された読取載置台に、原稿押えカバーが開閉自在に枢支され、該原稿押えカバーに、原稿トレイ上の原稿を横向きＵ字状の搬送路の入口付近に配設された給紙ローラにより搬送路へ送り込み、搬送路に配設された搬送ローラにより読取位置へ搬送し、搬送路の出口近傍に配設された排紙ローラにより排紙トレイへ排出する自動原稿搬送機構が装備された画像読取装置において、前記搬送路の内側ガイド面を構成するペーパガイドが、内側ガイド面を構成するペーパガイド本体と、該ペーパガイド本体の両側であって内側ガイド面と略直交する方向に設けられたサイドフレームとが、合成樹脂により一体成形されたものである。
【００１０】
また、本発明は、前記ペーパガイド本体が、Ｕ字状の搬送路の内側ガイド面のうち折り返し部分より上流側の上部ガイド面を構成するものであり、該ペーパガイド本体に、内側ガイド面のうち折り返し部分より下流側の下部ガイド面を構成するガイドカバーが嵌着されたものである。
【００１１】
また、本発明は、前記ペーパガイド本体の上部ガイド面に、原稿幅方向に渡って該上部ガイド面と連続し且つ略直交する壁を有する凹陥部が形成されたことを特徴とする。
【発明の効果】
【００１２】
本発明によれば、搬送路の内側ガイド面を構成するペーパガイド本体と、該内側ガイド面と略直交するサイドフレームとが、相互に補強しあうことにより、ペーパガイドの剛性が高められて変形が生じ難くなる。また、これらペーパガイド本体にガイドカバーを嵌着して一体とすることにより、ネジ等の補材を削減することができる。さらに、前記ペーパガイド本体の上部ガイド面に凹陥部を形成することにより、ペーパガイド本体の剛性を一層高めることができる。
【発明を実施するための最良の形態】
【００１３】
図１は、本発明の実施の形態に係る画像読取装置であるコピー・ファクシミリ複合機１００の上部の断面を示す図である。図に示すように、該コピー・ファクシミリ複合機１００は、フラット・ベッド・スキャナ（以下、「ＦＢＳ」という。）として機能する読取載置台１０１に対して、自動原稿搬送機構としてＡＤＦ１を備えた原稿押えカバー１０２が開閉自在に枢支されたものである。さらに、図には示していないが、本コピー・ファクシミリ複合機１００は、原稿の読取り開始等を入力するための操作パネル、記録用紙に画像を記録する画像記録部、画像を電送するための送信部、及び読み取った画像を記録するための記録用紙を供給する給紙カセット等の周知の構成をも具備しており、また、これら周知の構成は一例且つ任意のものである。
【００１４】
前記読取載置台１０１は、略直方体の筐体（ハウジング）１０の天面にプラテンガラス１１が配設され、筐体１０内には、ＣＣＤ読取ユニット１２が内蔵されている。該ＣＣＤ読取ユニット１２は、図１に示すように、読取位置Ｐ１へ光を照射する光源１３と、原稿からの反射光Ｒを所定の方向へ導くための反射ミラー１４と、反射光Ｒを収束する集光レンズ１５と、該収束光を電気信号に変換して出力する電荷結合素子（Ｃｈａｒｇｅ  Ｃｏｕｐｌｅｄ  Ｄｅｖｉｃｅ、以下「ＣＣＤ」という。）１６とを備えてなる所謂縮小光学系の読取ユニットである。このように構成されたＣＣＤ読取ユニット１２は、ＦＢＳとして機能する際には、プラテンガラス１１に対して水平に移動して該プラテンガラス１１上の原稿を走査し、ＡＤＦを用いる場合には、読取位置Ｐ１へ移動して搬送路３を搬送されている原稿の画像を走査し、それぞれの原稿からの反射光ＲをＣＣＤ１６へ導いて結像する。なお、図には示していないが、ＣＣＤ読取ユニット１２により読み取られて電気信号に変換された画像信号は、アナログ／デジタル変換、シェーディング処理等が施された後、プリンタ等の画像記録部により記録用紙に記録され、又はＣＯＤＥＣ等の送信部により電送される。
【００１５】
前記原稿押えカバー１０２には、複数枚の原稿を積重状態で担持する原稿トレイ２と、横向きＵ字状の搬送路３と、搬送後の原稿を積重状態で担持する排紙トレイ４と、原稿トレイ２上の原稿を搬送路３へ送り込む給紙ローラ５と、搬送路３において原稿をニップして搬送する搬送ローラ６と、搬送路３の出口付近に設けられた排紙ローラ７と、読取位置Ｐ２において原稿の画像読取りを行うＣＩＳ読取りユニット８とからなるＡＤＦ１が自動原稿搬送機構として装備されている。該ＡＤＦ１によれば、原稿トレイ２から搬送路３へ繰り込まれた原稿は、横向きＵ字状の搬送路３に沿って上方から下方へＵターンするように反転して読取位置Ｐ１に至り、該読取位置Ｐ１を通過する際に前記ＣＣＤ読取ユニット１２により原稿の表面の画像が読み取られ、更に搬送路３を搬送されて読取位置Ｐ２を通過する際にＣＩＳ読取ユニット８により原稿の裏面の画像が読み取られ、その後、原稿トレイ２の下方の排紙トレイ４へ排出されるようになっている。なお、本コピー・ファクシミリ複合機１００による原稿の両面読取りは任意であり、片面読取りのみ行うことも勿論可能である。
【００１６】
原稿トレイ２は、原稿押えカバー１０２の上部に、原稿を供給する方向へ若干傾斜させて設けられており、その上面において複数枚の原稿を積重状態で担持するようになっている。使用者が原稿トレイ２上に原稿を載置する場合には、原稿トレイ２の傾斜下端側に原稿の先端を搬送路３の入口に挿入するようにして載置する。なお、図には示していないが、原稿トレイ２には、原稿の幅方向の位置を規制して原稿の斜め送りを防止する可変式のガイドが設けられている。
【００１７】
搬送路３は、図２に示すように、原稿トレイ２からは排紙トレイ４へ横向きＵ字状に形成されており、その折返し部分の直下流で読取位置Ｐ１となるプラテンガラス１７上を通過し、該読取位置Ｐ１の下流側の読取位置Ｐ２を通過して排紙トレイ４へ連通している。該搬送路３は、原稿押えカバー１０２内に配設されたペーパガイド３０が内側ガイド面を構成し、原稿押えカバー１０２のカバー本体１０２ａ及びＡＤＦカバー１０２ｂが外側ガイド面を構成して、所定の厚みの原稿が通過可能なものとなっている。なお、搬送路３を構成する外側ガイド部材は、本実施の形態で示したカバー本体１０２ａ等に限定されるものではなく、本発明の要旨を変更しない範囲で他の形態をとり得るが、原稿押えカバー１０２のカバー本体１０２ａ及びＡＤＦカバー１０２ｂが外側ガイド部材も兼ねるようにプラスチック材を用いて一体成形することにより、部品点数が削減され組付けも容易となるので好ましい。
【００１８】
前記ペーパガイド３０は、図３に示すように、横向きＵ字状の搬送路を構成するペーパガイド本体３１と、該ペーパガイド本体３１の両側に設けられたサイドフレーム３２とがプラスチック材により一体成形されてなり、該ペーパガイド本体３１の折返し部分より下流側に、第１ガイドカバー３３、第２ガイドカバー３４及びプラテンガイド３５が配設されてなるものである。ペーパガイド本体３１は主として略水平方向の面で構成されており、サイドフレーム３２は主として垂直方向の面で構成されており、ペーパガイド３０においてはこれらペーパガイド本体３１とサイドフレーム３２とが主要部分となることから、ペーパガイド本体３１とサイドフレーム３２とを別個独立のものとせずに一体成形することにより、両者が互いに補強しあってペーパガイド３０の剛性を高めている。以下、前記ペーパガイド３０の構成をさらに詳細に説明する。
【００１９】
ペーパガイド本体３１及びサイドフレーム３２のプラスチック材は、金型を用いて一体成形可能な合成樹脂であり、例えばＡＢＳやハイインパクトポリスチレン、これらにガラス繊維等の補強材を添加したものを用いることができる。ペーパガイド本体３１は、その上面の上流側が前記原稿トレイ２と同様に傾斜し、且つ下流側が下方へ向かって湾曲した形状の上部ガイド面３１０を有しており、該上部ガイド面３１０が、横向きＵ字状の搬送路の折返し部より上流側の内側ガイド面を構成する。該上部ガイド面３１０には紙送り用リブ３１１が幅方向に列設されており、上部ガイド面３１０を摺動しながらＵターンする原稿との接触面を少なくして該原稿に与える摩擦力を軽減している。
【００２０】
前記ペーパガード本体３１は、図４に示すように、サイドフレーム３２と一体成形されたペーパガイド３０の剛性を高めるべく、成形金型からの脱形等を考慮して上部ガイド面３１０が搬送方向に可能な限り長くなるように形成することが好適である。即ち、ペーパガイド本体３１の搬送方向の長さを長くすれば、ペーパガイド本体３１自体の剛性が高くなるとともに、サイドフレーム３２に対する補強効果も向上され、その結果ペーパガイド３０の剛性が向上する。また、ペーパガイド本体３１の内側部分は搬送ローラ６等を配設するための空間が設けられているが、該搬送ローラ６等と干渉しないように、原稿幅方向の補強リブ３１２及び搬送方向の補強リブ３１３が適宜形成されており、これら補強リブ３１２，３１３によってもペーパガイド３０の剛性が高められている。
【００２１】
また、前記上部ガイド面３１０には、原稿の搬送方向と直交する方向に凹陥溝（凹嵌部）３１４が形成されている。該凹陥溝３１４は、上部ガイド面３１０に配設する搬送ローラ６を収納するために、上部ガイド面３１０とともにペーパガイド３０に一体的に形成されており、原稿幅方向に渡って該上部ガイド面と連続し且つ略直交する上流壁３１４ａ及び下流壁３１４ｂを有する断面Ｕ字状の溝である。搬送ローラ６は、図３に示すように、ローラ軸６０に複数のローラ本体６１が軸方向に所定間隔で固定されてなるものであり、例えば、金属製のローラ軸にシリコン製やＥＰＤＭ（Ｅｔｈｙｌｅｎｅ−Ｐｒｏｐｙｌｅｎｅ−Ｄｉｅｎｅ  Ｍｅｔｈｉｌｅｎｅ  ｌｉｎｋａｇｅ：エチレンプロピレンジエン三元共重合体）製のローラが固定されてなり、本実施の形態では１本のローラ軸６０に４個のローラ本体６１が設けられているが、ローラ本体６１の数や位置は、搬送すべき原稿のサイズ等を考慮して適宜設定される。
【００２２】
前記搬送ローラ６のローラ本体６１間に対応する凹陥溝３１４の各位置では、前記紙送りリブ３１１が、凹陥溝３１４の上流壁３１４ａ及び下流壁３１４ｂから溝幅を狭める方向に突出されている。従来、搬送ローラ６を上部ガイド面３１０に配設するには、上部ガイド面３１０に抜き穴を形成し、該抜き穴からローラ本体６１の一部を上部ガイド面３１０に露出するようにしていたが、上部ガイド面３１０に複数の抜き穴を形成すればペーパガイド３０の剛性が低くなることから、抜き穴に代えて前記凹陥溝３１４を上部ガイド面３１０に形成して、原稿幅方向の撓みや捻れに対するペーパガイド３０の剛性を高めている。また、該凹陥溝３１４の上流壁３１４ａ及び下流壁３１４ｂが上部ガイド面３１０と幅方向に渡って連続し且つ直交しているので、前記補強リブ３１２と同様の補強効果を発揮してペーパガイド３０の剛性が高められる。
【００２３】
また、上部ガイド面３１０の上流端には別の搬送ローラ６が配設されるが、同様の理由から、上部ガイド面３１０の上流端においても抜き穴を形成する代わりに段落ち部（凹陥部）３１５を形成しており、該段落ち部３１５の垂直方向の壁３１５ａが上部ガイド面３１０と幅方向に渡って連続し且つ直交することにより、前記補強リブ３１２と同様にペーパガイド３０の剛性を高めている。また、前記凹陥溝３１４及び段落ち部３１５を形成することにより、ペーパガイド本体３１の搬送方向の長さを長くなるとともに上部ガイド面３１０に前記上流壁３１４ａ、下流壁３１４ｂ、及び壁３１５ａが形成され、その結果、ペーパガイド３０の剛性が高められる。
【００２４】
サイドフレーム３２は、前記ペーパガイド本体３１の両側に一体成形されたものであり、搬送ローラ６や駆動ギヤ（不図示）を支持するとともに、ペーパガイド本体３１を補強している。各サイドフレーム３２の周縁には、図３に示すように、補強リブ３２０が水平方向外側に突設されて、各サイドフレーム３２の剛性を高めている。該補強リブ３２０には適宜貫通孔３２１が穿設されており、これら貫通孔３２１にネジ等の固定具を挿通して、前記原稿押えカバー１０２のカバー本体１０２ａにペーパガイド３０をネジ止めする。また、両サイドフレーム３２には、搬送ローラ６のローラ軸６０が挿通される貫通孔３２２が夫々穿設されている。該貫通孔３２２に各ローラ軸６０が夫々挿通されて回転自在に支持されることにより、各搬送ローラ６がペーパガイド本体３１に対して所定位置に配設される。また、図には示していないが、各貫通孔３２２に夫々回転自在に挿通され各ローラ軸６０の一端には駆動ギヤが設けられ、該駆動ギヤにモータの回転が伝達されて各ローラ軸６０が夫々回転するものとなる。これら搬送ローラ６が、図２に示したように、搬送路３の対向位置に配設された従動ローラ６０と圧接して上部ガイド面３１０に沿って搬送された原稿をニップし、該原稿をさらに下流ヘと搬送する。
【００２５】
また、前記ペーパガイド本体３１の折返し部分より下流側に配設される第１ガイドカバー３３及び第２ガイドカバー３４も、プラスチック材により夫々成形されたものであり、図５に示すように、第ガイドカバー３３がペーパガイド本体３１に配設され、該第１ガイドカバー３３に第２ガイドカバー３４が配設されて、横向きＵ字状の搬送路の折返し部分より下流側の内側ガイド面を構成する。さらに、第１ガイドカバー３３にはプラテンガイド３５が配設される。該プラテンガイド３５は、読取位置Ｐ１において原稿の通過位置を規制するとともに、ＣＣＤ読取ユニット１２の白色基準として用いられるものである。第１ガイドカバー３３は、スナップフィットによりペーパガイド本体３１に嵌着できるようになっており、第２ガイドカバー３４も、スナップフィットにより第１ガイドカバー３３に嵌着できるようになっている。また、プラテンガイド３５は、第１ガイドカバー３３に形成された支軸に支持されるようになっている。以下、これら第１ガイドカバー３３、第２ガイドカバー３４及びプラテンガイド３５について詳細に説明する。
【００２６】
第１ガイドカバー３３は、図３及び図５に示すように、ペーパガイド本体３１の下側に配設されて、その下面３３０が搬送路３の内側ガイド面を構成するものであり、その上流端には、原稿幅方向に所定間隔で爪３３１が突設されており、両側壁には係止孔３３２ａが形成された突片３３２が水平方向外側に突設されている。一方、前記ペーパガイド本体３１には、搬送路３の折り返し部分に相当するガイド面３１０の下流端であって前記各爪３３１に対応する位置に係止孔３１６が夫々穿設されており、また、図５に示すように、ペーパガイド本体３１の両側付近であって前記突片３３２に対応する位置に鉤状の係止爪３１７が形成されている。図６に示すように、第１ガイドカバー３３の爪３３１がペーパガイド本体３１の係止孔３１６に嵌挿されるとともに、図７に示すように、第１ガイドカバー３３の突片３３２の係止孔３３２ａにペーパガイド本体３１の係止爪３１７が挿通されて、鉤部３１７ａにより突片３３２を係止することにより、ペーパガイド本体３１に第１ガイドカバー３３が組み付けられる。係止爪３１７は、ペーパガイド本体３１と一体成形された合成樹脂製のものであり、前記係止孔３３２に挿通させる際には上流側へ傾くように変形させることが容易なので、ネジ等の固定用の補材や工具等を用いることなく第１ガイドカバー３３をペーパガイド本体３１に組み付けることができる。
【００２７】
また、第１ガイドカバー３３には、図８に示すように、下面３３０の読取位置Ｐ１に対応する個所に凹部３３３が形成されている。該凹部３３３は、読取位置Ｐ１の直上流及び直下流の各搬送ローラ６間において下面３３０の幅方向に渡って形成されており、上流側より下流側の凹みが大きい２段の凹みとなっている。該凹部３３３の上流側及び下流側の各上隅部には、前記各搬送ローラのローラ本体６１に対応する位置に抜き穴３３４が形成されており、各抜き穴３３４から各ローラ本体６１のローラ面が露呈するようになっている。凹部３３３に抜き穴３３４を形成して搬送ローラ６のローラ本体６１を露呈させることにより、ペーパガイド３０を組み付けた後に、第１ガイド部材３３を取り外すことなく凹部３３３から該ローラ本体６１へアクセスすることが可能となり、ローラ本体６１のローラ面の清掃が容易となる。また、読取位置Ｐ１の上流側及び下流側の下面３３０にも抜き穴３３５が形成されており、該抜き穴３３５から各ローラ本体６１のローラ面が露出するようになっている。これにより、読取位置Ｐ１の上下流の各搬送ローラ６が、図２に示したように、搬送路３の対向位置に配設された従動ローラ６０と圧接して、読取位置Ｐ１の上流側及び下流側において原稿をニップして搬送する。
【００２８】
第２ガイドカバー３４は、図６に示すように、第１ガイドカバー３３の凹部３３３の下流側を覆うように組み付けられるものであり、その下面３４０が第１ガイドカバー３３の下面３３０とともに搬送路３の内側ガイド面を構成する。図３に示すように、該第２ガイドカバーの上流端には、原稿幅方向に所定間隔で切欠き３４１ａが形成された突片３４１が水平方向に突設されており、下流端には原稿幅方向に所定間隔で爪３４２が突設されている。一方、図６に示すように、第１ガイドカバー３３の２段構造の凹部３３３の上流部には鉤状の係止爪３３６が設けられており、凹部３３３の下流側の下隅部近傍には凹陥部３３７が形成されている。図６に示すように、第２ガイドカバー３３の爪３４２が第１ガイドカバー３３の凹陥部３３７に嵌入されるとともに、第１ガイドカバー３３の係止爪３３６により第２ガイドカバー３４の突片３４１が係止されることにより、第１ガイドカバー３３に第２ガイドカバー３４が組み付けられる。係止爪３３６は、第１ガイドカバー３３と一体成形された合成樹脂製のものであり、前記突片３４１に係止させる際には上流側へ傾くように変形させることが容易なので、ネジ等の固定用の補材や工具等を用いることなく第２ガイドカバー３４を第１ガイドカバー３３に組み付けることができる。
【００２９】
プラテンガイド３５は、図６に示すように、第１ガイドカバー３３の凹部３３３の上流側を覆うように組み付けられるものであり、その下面３５０が第１ガイドカバー３３の下面３３０とともに搬送路３の内側ガイド面を構成する。また、該下面３５０には、前記ＣＣＤ読取ユニット１２の白色基準となるべく白色のテープ３５０ａが貼り付けられている。図９に示すように、プラテンガイド３５の両側には起立部３５１が形成され、各起立部３５１に軸孔３５２が穿設されている。また、プラテンガイド３５の上流端には原稿幅方向に所定間隔で爪３５３が突設されている。一方、第１ガイドカバー３３の両側壁には、下端から垂直上方へ所定間隔で切欠きを設けることにより支持片３３８が夫々形成されており、支持片３３８の内側には支軸３３９が水平方向に突設されている。また、図６に示すように、凹部３３３の上流側の下隅部近傍には前記爪３５３に対応する位置に係止孔３５４が形成されている。プラテンガイド３５の爪３５３が第１ガイドカバー３３の係止孔３５４に係入されるとともに、プラテンガイド３５の軸孔３５２に第１ガイドカバー３３の支軸３３９が挿入されることにより、第１ガイドカバー３３にプラテンガイド３５が支軸３３９を軸として係止孔３５４の範囲内で揺動可能に組み付けられ、凹部３３３の上流部分に配設されたコイルスプリング３５６により該プラテンガイド３５は下方向に付勢されている。前記支持片３３８は、その両側の切欠きにより、支軸３３９を軸孔３５２に挿入させる際には外側へ傾くように変形させることが容易なので、ネジ等の固定用の補材や工具等を用いることなくプラテンガイド３５を第１ガイドカバー３３に組み付けることができる。
【００３０】
また、プラテンガイド３５の下面３５０の両側部には、プラテンガラス１７との間隔を一定に保つための凸部３５５が形成されている。該凸部３５５が読取位置Ｐ１のプラテンガラス１７に当接することにより、プラテンガイド３５とプラテンガラス１７との間隔を常に一定に保ち、読取位置Ｐ１において原稿が一定位置を通過するように案内している。前述したように、該プラテンガイド３５は揺動可能であり下方向に付勢されているので、原稿押えカバー１０２が完全に閉じられずに読取載置台１０１との間に若干の隙間が生じたような場合にも、プラテンガイド３５が揺動することにより、プラテンガイド３５とプラテンガラス１７との間隔が一定に保たれる。なお、本実施の形態では、前記プラテンガイド３５の下面３５０にテープ３５０ａを貼り付けてＣＣＤ読取ユニット１２の白色基準としているが、テープ３５０ａに代えてプラテンガイド３５の下面３５０を白色に塗装して白色基準とすることもできる。
【００３１】
このようにして、ペーパガイド本体３１に、第１ガイドカバー３３、第２ガイドカバー３４、及びプラテンガイド３５を順次組み付けることができる。また、各搬送ローラ６のローラ本体６１を清掃する際には、プラテンガイド３５及び第２ガイドカバー３４を取り外せば、第１ガイドカバー３３の凹部３３３の抜き穴３３５を通じて各ローラ本体６１のローラ面にアクセスすることができるので、ペーパガイド３０を分解する必要がなく、また、プラテンガイド３５及び第２ガイドカバー３４の取外しは工具等を用いることなく容易に行うことができる。また、第１ガイドカバー３３、第２ガイドカバー３４、及びプラテンガイド３５を、ネジ等の固定用の補材を用いることなく、スナップフィットによりペーパガイド本体３１又は第１ガイドカバー３３に夫々固定するようにしたので、組付作業及び分解作業が容易となり、軽量化及びコスト削減ができる。
【００３２】
前述したように構成されたペーパガイド３０は、前記各搬送ローラ６等が組み付けられて原稿押えカバー１０２のカバー本体１０２ａに配設される。該カバー本体１０２ａは、図１０に示すように、ペーパガイド３０の取付部分に開口２０が形成されており、ペーパガイド３０に沿って搬送された原稿は、該開口２０においてプラテンガラス１７上の読取位置Ｐ１を通過し、ＣＣＤ読取ユニット１２（不図示）により画像読取りされる。該開口２０の上流側及び下流側は、各々開口２０から上方へ向かって傾斜したガイド面２１，２２となっており、これらガイド面２１，２２が、横向きＵ字状の搬送路の折返し部分より下流側であって読取位置Ｐ１の上流及び下流の外側ガイド面を構成する。
【００３３】
前記ガイド面２１，２２には、４つの切欠部２３，２４が夫々幅方向に所定間隔で形成されており、該切欠部２３，２４に前記搬送ローラ６と対向する従動ローラ６０が夫々配設されて、そのローラ本体の一部が切欠き部２３，２４から夫々ガイド面２１，２２に露出している。これら従動ローラ６０が、前記ペーパガイド３０の折返し部分の下流側に配設される各搬送ローラ６と夫々対向して、読取位置Ｐ１の上流及び下流において原稿をニップしながら搬送する。なお、これら従動ローラ６０の配置は一例であり、搬送路の形状や距離に応じて前記搬送ローラ６の数や位置を適宜変更するに伴い変更される。
【００３４】
さらに、前記ガイド面２２の下流側には、ＣＩＳ読取ユニット８と対向するプラテンローラ６０が配設される凹陥部２５が形成されている。プラテンローラ８０は、搬送された原稿をＣＩＳ読取ユニット８（不図示）に圧接するとともに、ＣＩＳ読取ユニット８の白色基準となるものである。また、ガイド面２２の最下流端には、前記切欠部２３，２４と同様に４つの凹陥部２６が形成されており、該凹陥部２６に排紙ローラ７が配設されている。
【００３５】
また、カバー本体１０２ａの背面側には、前記ペーパガイド３０が配設される左側に切欠部２７Ｌが形成され、右側にカバー本体１０２ａの底面を窪ませてなる凹部２７Ｒが形成されている。該切欠部２７Ｌ及び凹部２７Ｒは、原稿押えカバー１０２を読取載置台１０１に対して枢支するヒンジ部材を取り付けるためのものであり、通常、左右一対に設けられる。該切欠部２７Ｌが形成された背面側、及びガイド面２１，２２の正面側に適宜補強リブ２８が形成されており、切欠部２７Ｌの周囲にはヒンジ部材をカバー本体１０２ａに固定するためのネジ孔２９が設けられ、ガイド面２１，２２の両側にも同様にペーパガイド３０をカバー本体１０２ａに固定するためのネジ孔２９が設けられている。一方、凹部２７Ｒは、ヒンジ部材を取り付けるための周知の構成である。
【００３６】
このように構成されたカバー本体１０２ａのガイド面２１，２２に、前記ペーパガイド３０の第１ガイドカバー３３等により構成される内側ガイド面を対向させて、ペーパガイド３０がカバー本体１０２ａに配設され、該カバー本体１０２ａに、ＡＤＦカバー１０２ｂが開閉可能に配設されるが、本発明では、前記ペーパガイド３０はヒンジ部材と固定されている。以下、ペーパガイド３０とヒンジ部材との固定構造について詳細に説明する。
【００３７】
図１１に示すように、ヒンジ部材９は、読取載置台１０１に固定される基部９０と、原稿押えカバー１０２に固定される回動部９１と、該基部９０と回動部９１とを回動可能に連結する軸９２とを備えてなるものである。回動部９１の両側には翼部９１０が夫々突設され、該翼部９１０には孔９１１が穿設されており、さらに、回動部９１の上面には、ネジ孔９１２とブラケット９３の位置決めのための凸部９１３とが夫々２箇所に設けられている。
【００３８】
ブラケット９３は、ヒンジ部材９と前記ペーパガイド３０とを連結固定するためのものであり、ヒンジ部材９の回動部９１の上面に固定されるとともにペーパガイド３０のサイドフレーム３２と固定される。該ブラケット９３は、回動部９１と固定するための水平部９３０と、該水平部９３０から回動部９１の側面に沿って起立した起立部９３１と、該起立部９３１からペーパガイド３０のサイドフレーム３２に沿うように曲成された第１固定部９３２と、該起立部９３１サイドフレーム３２の補強リブ３２１に沿うように曲成された第２固定部９３３とからなるものであり、例えば鋼板を打抜き及び折曲げ加工して得ることができる。
【００３９】
水平部９３０には、前記回動部９１のネジ孔９１２及び凸部９１３に対応する位置に孔９３４及び長穴９３５が夫々２箇所に穿設されており、該長穴９３５に凸部９１３が嵌挿されて回動部９１の上面にブラケット９３が位置決めされ、ネジ９４が孔９３４に挿通されてネジ孔９１２に螺合されることにより、ブラケット９３の水平部９３０を緊締して該ブラケット９３が回動部９１に固定されるものとなっている。また、第１固定部９３２には、上下方向の２箇所に孔９３６が穿設されており、一方、ペーパガイド３０のサイドフレーム３２には、該孔９３６に対応する位置にネジ受け部３２４が形成されている。ネジ９５が孔９３６に挿通されてネジ受け部３２４に螺合されることにより、ブラケット９３の第１固定部９３２を緊締して該ブラケット９３がサイドフレーム３２に固定されるものとなっている。また、第２固定部９３３には、サイドフレーム３２の補強リブ３２１に穿設された貫通孔３２１に対応する位置に孔９３７が穿設されており、ネジ９６が孔９３７に挿通され、さらに貫通孔３２１に挿通されて、前記カバー本体１０２ａのネジ受け部２９に螺合されることにより、ブラケット９３の第２固定部９３３及び補強リブ３２１を緊締して、ブラケット９３がサイドフレーム３２に固定されるとともに、カバー本体１０２ａにも固定されるものとなっている。
【００４０】
前記ヒンジ部材９が、図１１及び図１２に示すように、回動部９１がブラケット９３を介してペーパガイド３０に固定されるとともに、ネジ９７を該回動部９１の翼部９１０の孔９１１に挿通されてカバー本体１０２ａのネジ受け部２９に螺合されることによりカバー本体１０２ａと固定され、さらに該ペーパガイド３０は、前記ブラケット９３とともにネジ９６によりカバー本体１０２ａと固定される。なお、ペーパガイド３０は、ネジ９８がサイドフレーム３２の補強リブ３２１の貫通孔３２１に挿通されてカバー本体１０２ａのネジ受け部２９に螺合されることにより、カバー本体１０２ａとも固定される。一般に、駆動モータ等の重量の重い部材は、カバー本体１０２ａの背面側であってヒンジ部材９近くに配置してカバー本体１０２ａへの負荷をできるだけ少なくするが、ペーパガイド３０は原稿の幅方向に配置せざるを得ず、該ペーパガイド３０に配設する各搬送ローラ６も同様である。従って、ペーパガイド３０の重量がカバー本体１０２ａに与える負荷が大きくなるが、前述したように、ヒンジ部材９とペーパガイド３０とを別個独立してカバー本体１０２ａに固定するのみでなく、ブラケット９３を介してヒンジ部材９の回動部９１とペーパガイド３０とを固定することにより、重量のあるローラ軸６０が複数取り付けられるペーパガイド３０をヒンジ部材９で直接支持することができ、カバー本体１０２ａへの負荷を軽減することができる。
【００４１】
なお、本実施の形態ではブラケット９３を介してヒンジ部材９がペーパガイド３０を支持するものとしたが、該ブラケット９３に代えて、ペーパガイド３０のサイドフレーム３２にブラケット９３の水平部９３０に相当する固定用の翼部を水平方向に突出するように一体成形して、該翼部をヒンジ部材９の回動部９１に直接固定するようにしてもよい。また、原稿押えカバー１０２を開閉するためのハンドル部は、開閉の際にカバー本体１０２ａに過剰な負担を与えないように、前記ペーパガイド３０の正面側のサイドフレーム３２の近傍、即ち図１０に斜線で示した領域Ｘに形成することが好適である。なお、該ハンドル部は、使用者が手前側から指を掛けることが可能な凹部や凸部等を原稿押えカバー１０２に形成することにより実現できる。
【００４２】
給紙ローラ５は、図２に示すように、搬送路３の入口付近に配設されて、原稿トレイ２から繰り込まれた原稿と圧接しながら回転することにより該原稿を搬送路３へ送り込むものであり、例えば、金属製のローラ軸にシリコン製やＥＰＤＭ製のローラが固定されてなる。さらに、該給紙ローラ５の上流側には、原稿トレイ２に載置された原稿の最上紙を繰り出すためのピックアップローラ５０が配設されている。ピックアップローラ５０も、給紙ローラ５と同様に、原稿と圧接しながら回転することにより該原稿を搬送路へ繰り込むものであり、不図示の給紙クラッチにより上下方向に揺動する揺動アーム５１に支持されている。該揺動アーム５１の揺動により、ピックアップローラ５０は、原稿トレイ２に原稿を載置する際等の通常の状態では搬送路３を開放するように上昇しており、原稿繰込み時に原稿の最上紙と接触するように降下し、ピックアップローラ５０及び給紙ローラ５が回転することにより、原稿の最上紙が搬送路ヘ繰り込まれる。なお、ピックアップローラ５０は搬送路３の内側ガイド面に接触するまで降下可能であるので、原稿枚数により原稿の束の厚さが変化しても常に最上紙と接触可能である。また、図には示していないが、前記原稿トレイ２の原稿の有無は原稿セットセンサにより検知され、該検知信号に基づいて制御手段が給紙ローラ５、ピックアップローラ５０及び揺動アーム５１の動作を制御するものとなっている。
【００４３】
一方、前記給紙ローラ５の下方には分離パッド５２が設けられている。該分離パッド５２は、原稿に対する摩擦係数が給紙ローラ５の原稿に対する摩擦係数より低く、且つ原稿同士の摩擦係数より高いものであり、例えばウレタン系樹脂で成形することが可能である。このような分離パッド５２が分離パッドホルダ５３の上面に貼設されている。該分離パッドホルダ５３は、搬送路３の内側ガイド面に揺動可能に嵌め込まれてコイルバネ５４により上方向に付勢されており、これにより、分離パッド５２が前記給紙ローラ５のローラ面に圧接され、該圧接部分を通過する原稿の厚みに応じて下方へ回動可能となっている。
【００４４】
一方、ＣＩＳ読取ユニット８は、所謂密着形イメージセンサ（Ｃｏｎｔａｃｔ  Ｉｍａｇｅ  Ｓｅｎｓｏｒ、以下「ＣＩＳ」という。）を用いたものであり、図に詳細は示していないが、光源により照射された原稿からの反射光を収束性ファイバで光導電素子上に収束して読み取る固定式の読取手段である。該ＣＩＳ読取ユニット８は、前記ＣＣＤ読取ユニット１２が位置する搬送路３の対向側且つ下流側に配設されており、これにより、原稿の裏面の画像を読み取る。一般に、ＣＩＳ読取ユニット８に採用されているＣＩＳは被写体深度が浅いので、前記プラテンローラ８０により原稿をニップした状態で画像読取りを行うものとしている。なお、図には示していないが、これらＣＣＤ読取ユニット１２及びＣＩＳ読取ユニット８により読み取られて電気信号に変換された画像信号は、アナログ／デジタル変換、シェーディング処理等が施された後、プリンタ等の画像記録部により記録用紙に記録され、又はＣＯＤＥＣ等の送信部により電送される。
【００４５】
このように構成されたコピー・ファクシミリ複合機１００により、ＡＤＦ１を用いる際には、原稿トレイ２上の原稿が、給紙ローラ５により搬送路３へ送り込まれ、搬送ローラ６により読取位置Ｐ１へ搬送されてＣＣＤ読取ユニット１２により原稿の表面の画像読取りが行われ、更に搬送ローラ６により読取位置Ｐ２へ搬送されてＣＩＳ読取ユニット８により原稿の裏面の画像読取りが行われ、排紙ローラ８により排紙トレイ４へ排出される。また、ＦＢＳとして用いる際には、読取載置台１０１のプラテンガラス１１上に原稿を載置し、原稿押えカバー１０２により原稿を押えて、ＣＣＤ読取ユニット１２により原稿の画像読取りが行われる。
【００４６】
本コピー・ファクシミリ複合機１００では、ペーパガイド本体３１とサイドフレーム３２とが一体成形された剛性の高いペーパガイド３０を用いることにより、ペーパガイド３０に原稿幅方向の撓みや捻れ等の変形が生じ難くなっている。これにより、原稿押えカバー１０２の開閉による衝撃等の負荷が軽減され、また、本等の分厚い原稿を画像読取りする際に、プラテンカバー１１に原稿を押しつけるように原稿押えカバー１０２を押え込んでも変形が生じない。また、ペーパガイド３０の剛性を高めることにより、該ペーパガイド３０をヒンジ部材９で直接支持してカバー本体１０２ａへの負荷を軽減することができる。
【００４７】
なお、本実施の形態で示したコピー・ファクシミリ複合機１００の構成は、本発明に係る画像読取装置の一態様にすぎず、本発明の要旨を逸脱しない範囲内で適宜設計変更できることは勿論であり、例えば、コピー機やファクシミリ機、スキャナ等の単独機としても実現可能であり、また、片面読取専用機としてＣＩＳ読取りユニット８を省略することができる。また、搬送路３に原稿戻し路を設けてＣＣＤ読取ユニット１２のみで原稿の両面読取りを行うようにすることも可能である。
【産業上の利用可能性】
【００４８】
本発明に係る画像読取装置は、読取ユニットが内蔵された読取載置台に、原稿押えカバーが開閉自在に枢支され、該原稿押えカバーに自動原稿搬送機構が装備されたスキャナ、ファクシミリ機、複写機等として利用することができる。
【図面の簡単な説明】
【００４９】
【図１】本発明の実施の形態に係るコピー・ファクシミリ複合機１００の上部の概略構成を示す断面図である。
【図２】コピー・ファクシミリ複合機１００の上部の概略構成を拡大断面図である。
【図３】ペーパガイド３０及び搬送ローラ６の構成を示す分解斜視図である。
【図４】図３のＡ−Ａ断面を示す断面図である。
【図５】ペーパガイド３０の構成を示す底面図である。
【図６】図５のＢ−Ｂ断面の一部を示す拡大断面図である。
【図７】図５のＣ−Ｃ断面の一部を示す拡大断面図である。
【図８】図５のＤ−Ｄ断面の一部を示す拡大断面図である。
【図９】第１ガイドカバー３３へのプラテンガイド３５の組付けを示す分解斜視図である。
【図１０】カバー本体１０２ａの構成を示す平面図である。
【図１１】ヒンジ部材９の構成を示す分解斜視図である。
【図１２】ペーパガイド３０とヒンジ部材９との固定構造を示す部分平面図である。
【図１３】従来のコピー・ファクシミリ複合機９００の上部外観を示す斜視図である。
【図１４】コピー・ファクシミリ複合機９００の上部の概略構成を示す断面図である。
【符号の説明】
【００５０】
１  ＡＤＦ（自動原稿搬送機構）
２  原稿トレイ
３  搬送路
４  排紙トレイ
５  給紙ローラ
６  搬送ローラ
７  排紙ローラ
１２  ＣＣＤ読取ユニット（読取ユニット）
３０  ペーパガイド
３１  ペーパガイド本体
３２  サイドフレーム
３３  第１ガイドカバー
３４  第２ガイドカバー
１００  コピー・ファクシミリ複合機（画像読取装置）
１０１  読取載置台
１０２  原稿押えカバー
３１４  凹陥溝（凹陥部）
３１４ａ  上流壁
３１４ｂ  下流壁
３１５  段落ち部（凹陥部）
３１５ａ  壁
【図１】
2005126187.tif 000003
【図２】
2005126187.tif 000004
【図３】
2005126187.tif 000005
【図４】
2005126187.tif 000006
【図５】
2005126187.tif 000007
【図６】
2005126187.tif 000008
【図７】
2005126187.tif 000009
【図８】
2005126187.tif 000010
【図９】
2005126187.tif 000011
【図１０】
2005126187.tif 000012
【図１１】
2005126187.tif 000013
【図１２】
2005126187.tif 000014
【図１３】
2005126187.tif 000015
【図１４】
2005126187.tif 000016